(57)【要約】    【課題】  広画角でかつ全ズーム範囲にわたり高い光学性能が得られるズームレンズ及びそれを有する撮像装置を得ること。    【解決手段】  物体側より像側へ順に、負の屈折力の第１レンズ群、正の屈折力の第２レンズ群、負の屈折力の第３レンズ群、正の屈折力の第４レンズ群、負の屈折力の第５レンズ群、正の屈折力の第６レンズ群を有し、各レンズ群の間隔を変化させてズーミングを行うズームレンズにおいて、該第３レンズ群、該第５レンズ群、該第６レンズ群の焦点距離を各々ｆ３、ｆ５、ｆ６とし、広角端における全系の焦点距離ｆｗを各々適切に設定すること。【選択図】    図１
2010243636.tif 000002
【特許請求の範囲】
【請求項１】
物体側より像側へ順に、負の屈折力の第１レンズ群、正の屈折力の第２レンズ群、負の屈折力の第３レンズ群、正の屈折力の第４レンズ群、負の屈折力の第５レンズ群、正の屈折力の第６レンズ群を有し、各レンズ群の間隔を変化させてズーミングを行うズームレンズにおいて、該第３レンズ群、該第５レンズ群、該第６レンズ群の焦点距離を各々ｆ３、ｆ５、ｆ６とし、広角端における全系の焦点距離をｆｗとするとき
１．６＜｜ｆ５／ｆｗ｜＜１．９
３．０＜  ｆ６／ｆｗ  ＜５．０
２．０＜｜ｆ３／ｆｗ｜＜５．０
なる条件式を満足することを特徴とするズームレンズ。
【請求項２】
広角端から望遠端へのズーミングにおける前記第２レンズ群と前記第３レンズ群の光軸方向の移動量を各々Ｍ２、Ｍ３とするとき
０．４＜｜Ｍ２／Ｍ３｜＜１．０
なる条件式を満足することを特徴とする請求項１のズームレンズ。
【請求項３】
前記第３レンズ群の広角端と望遠端における横倍率を各々β３ｗ、β３ｔとするとき
１．０＜｜β３ｔ／β３ｗ｜＜６．０
なる条件式を満足することを特徴とする請求項１又は２のズームレンズ。
【請求項４】
広角端から望遠端へのズーミングに際して、前記第１レンズ群は像側へ、前記第２レンズ群は物体側へ、前記第３レンズ群は物体側へ凸状の軌跡を描いて移動し、前記第４レンズ群は前記第２レンズ群と一体的に物体側へ移動し、前記第５レンズ群は物体側へ移動することを特徴とする請求項１、２又は３のズームレンズ。
【請求項５】
請求項１〜４のいずれか１項記載のズームレンズと、該ズームレンズによって形成される像を受光する光電変換素子を有していることを特徴とする撮像装置。
【発明の詳細な説明】
【技術分野】
【０００１】
本発明は、ズームレンズ及びそれを有する撮像装置に関し、例えばデジタルカメラ、ビデオカメラ、銀塩フィルム用カメラ、ＴＶカメラ等の撮影系に好適なものである。
【背景技術】
【０００２】
従来より、負の屈折力のレンズ群が先行する（最も物体側に位置する）所謂ネガティブリード型のズームレンズが知られている。ネガティブリード型のズームレンズは、近接撮影距離を比較的短くすることができ、広画角化が比較的容易であり、バックフォーカスを長くすることが容易である。このため、一眼レフカメラ用の広画角の撮影レンズとして多く用いられている。ネガティブリード型のズームレンズとして、物体側から像側へ順に負、正、負、正、負、正の６つのレンズ群を有する広画角で高ズーム比のズームレンズが知られている（特許文献１、２）。
【先行技術文献】
【特許文献】
【０００３】
【特許文献１】特開２００４−１９８５２９号公報
【特許文献２】特開２００６−３３７６４７号公報
【発明の概要】
【発明が解決しようとする課題】
【０００４】
一般に、負の屈折力のレンズ群が先行するネガティブリード型のズームレンズは、広画角化が比較的容易であり、又長いバックフォーカスが容易に得られるという特徴がある。しかしながらネガティブリード型のズームレンズは開口絞りに対し、レンズ構成が非対称となるため、諸収差の補正が難しく、全ズーム範囲にわたり高い光学性能を得るのが難しい。
【０００５】
例えば一眼レフ用のカメラに用いるために、長いバックフォーカスを確保する為には、前方（物体側）の負の屈折力のレンズ群の屈折力を強くする必要がある。そうすると、屈折力配置の強い非対称性によって画面周辺において像面湾曲や非点隔差が大きく変化し、光学性能が大きく低下してくる。ネガティブリード型のズームレンズにおいて、広画角化を図りつつ、全ズーム範囲にわたり高い光学性能を得るにはズーム構成及び各レンズ群の屈折力やレンズ構成等を適切に設定することが重要になってくる。
【０００６】
本発明は、ネガティブリード型のズームレンズにおいて各レンズ群の屈折力や結像倍率等を適切に構成することによって、広画角でかつ全ズーム範囲にわたり高い光学性能が得られるズームレンズ及びそれを有する撮像装置を提供することを目的とする。
【課題を解決するための手段】
【０００７】
本発明のズームレンズは、物体側より像側へ順に、負の屈折力の第１レンズ群、正の屈折力の第２レンズ群、負の屈折力の第３レンズ群、正の屈折力の第４レンズ群、負の屈折力の第５レンズ群、正の屈折力の第６レンズ群を有し、各レンズ群の間隔を変化させてズーミングを行うズームレンズにおいて、該第３レンズ群、該第５レンズ群、該第６レンズ群の焦点距離を各々ｆ３、ｆ５、ｆ６とし、広角端における全系の焦点距離をｆｗとするとき
１．６＜｜ｆ５／ｆｗ｜＜１．９
３．０＜  ｆ６／ｆｗ  ＜５．０
２．０＜｜ｆ３／ｆｗ｜＜５．０
なる条件式を満足することを特徴としている。
【発明の効果】
【０００８】
本発明によれば、広画角でかつ全ズーム範囲にわたり高い光学性能が得られるズームレンズ及びそれを有する撮像装置が得られる。
【図面の簡単な説明】
【０００９】
【図１】本発明の数値実施例１のレンズ断面図
【図２】本発明の数値実施例１における無限遠物体のときの諸収差図
【図３】本発明の数値実施例２のレンズ断面図
【図４】本発明の数値実施例２における無限遠物体のときの諸収差図
【図５】本発明の数値実施例３のレンズ断面図
【図６】本発明の数値実施例３における無限遠物体のときの諸収差図
【図７】本発明に係るＭＴＦディフォーカス特性図
【図８】本発明の撮像装置の要部概略図
【発明を実施するための形態】
【００１０】
以下に、本発明のズームレンズ及びそれを有する撮像装置の実施の形態を添付の図面に基づいて詳細に説明する。本発明のズームレンズは、物体側より像側へ順に、負の屈折力の第１レンズ群、正の屈折力の第２レンズ群、負の屈折力の第３レンズ群、正の屈折力の第４レンズ群、負の屈折力の第５レンズ群、正の屈折力の第６レンズ群を有している。そして各レンズ群の間隔を変化させてズーミングを行っている。
【００１１】
図１（Ａ）、（Ｂ）、（Ｃ）はそれぞれ本発明の実施例１のズームレンズの広角端（短焦点距離端）、中間のズーム位置、望遠端（長焦点距離端）におけるレンズ断面図である。図２（Ａ）、（Ｂ）、（Ｃ）はそれぞれ実施例１のズームレンズの広角端、中間のズーム位置、望遠端における無限遠物体に合焦したときの収差図である。図３（Ａ）、（Ｂ）、（Ｃ）はそれぞれ本発明の実施例２のズームレンズの広角端、中間のズーム位置、望遠端におけるレンズ断面図である。
【００１２】
図４（Ａ）、（Ｂ）、（Ｃ）はそれぞれ実施例２のズームレンズの広角端、中間のズーム位置、望遠端における無限遠物体に合焦したときの収差図である。図５（Ａ）、（Ｂ）、（Ｃ）はそれぞれ本発明の実施例３のズームレンズの広角端、中間のズーム位置、望遠端におけるレンズ断面図である。図６（Ａ）、（Ｂ）、（Ｃ）はそれぞれ実施例３のズームレンズの広角端、中間のズーム位置、望遠端における無限遠物体に合焦したときの収差図である。図７は本発明のズームレンズのＭＴＦディフォーカス特性の説明図である。図８は本発明のズームレンズを備える一眼レフカメラ（撮像装置）の要部概略図である。
【００１３】
各実施例のズームレンズはビデオカメラやデジタルカメラそして銀塩フィルムカメラ等の撮像装置に用いられる撮影レンズ系（光学系）である。レンズ断面図において、左方が物体側（前方）で、右方が像側（後方）である。レンズ断面図において、ｉは物体側からのレンズ群の順番を示し、Ｌｉは第ｉレンズ群である。ＳＰは開口絞りである。ＳＰ２はＦナンバー絞り（Ｆｎｏ絞り）である。
【００１４】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する。矢印は広角端から望遠端へのズーミングにおける各レンズ群の移動軌跡を示している。球面収差図はｄ線について示している。非点収差図においてＭ、Ｓはｄ線でのメリディオナル像面、サジタル像面である。ＦｎｏはＦナンバー、ωは半画角である。尚、以下の各実施例において広角端と望遠端は変倍用レンズ群が機構上光軸上を移動可能な範囲の両端に位置したときのズーム位置をいう。各実施例のズームレンズは、物体側より像側へ順に、負の屈折力の第１レンズ群Ｌ１、正の屈折力の第２レンズ群Ｌ２、負の屈折力の第３レンズ群Ｌ３、正の屈折力の第４レンズ群Ｌ４、負の屈折力の第５レンズ群Ｌ５、正の屈折力の第６レンズ群Ｌ６より成っている。
【００１５】
広角端から望遠端へのズーミングに際して第１レンズ群Ｌ１は像側へ、第２レンズ群Ｌ２は物体側へ移動する。第３レンズ群Ｌ３は開口絞りＳＰ、Ｆｎｏ絞りＳＰ２と一体的に物体側に凸状の軌跡を描いて移動する。第４レンズ群Ｌ４は第２レンズ群Ｌ２と一体的に物体側へ移動し、第５レンズ群Ｌ５は物体側へ移動する。第６レンズ群Ｌ６はズーミング及びフォーカシングに際して不動である。無限遠物体から近距離物体へのフォーカスは第５レンズ群Ｌ５を像側へ移動させて行っている。第５レンズ群Ｌ５を光軸上移動させてフォーカシングを行うリヤーフォーカス式を採用している。望遠端において無限遠物体から近距離物体へフォーカスを行う場合には、同図矢印５ｃに示すように第５レンズ群Ｌ５を後方に繰り込むことによって行っている。第５レンズ群Ｌ５の実線の曲線５ａと点線の曲線５ｂは各々無限遠物体と近距離物体にフォーカスしているときの広角端から望遠端へのズーミングに伴う際の像面変動を補正するための移動軌跡を示している。軽量な第５レンズ群Ｌ５をフォーカスの為に移動することで迅速なオートフォーカスを容易にしている。
【００１６】
本発明のズームレンズにおいて、第１レンズ群Ｌ１の物体側又は／及び最終レンズ群の像側にコンバーターレンズやアフォーカルレンズ群等の屈折力のあるレンズ群が位置していても良い。各実施例において第３レンズ群Ｌ３、第５レンズ群Ｌ５、第６レンズ群Ｌ６の焦点距離を各々ｆ３、ｆ５、ｆ６とする。広角端における全系の焦点距離をｆｗとする。このとき
１．６＜｜ｆ５／ｆｗ｜＜１．９    ‥‥‥（１）
３．０＜  ｆ６／ｆｗ  ＜５．０    ‥‥‥（２）
２．０＜｜ｆ３／ｆｗ｜＜５．０    ‥‥‥（３）
なる条件式を満足している。
【００１７】
条件式（１）、（２）は、第５レンズ群Ｌ５、第６レンズ群Ｌ６の焦点距離に関し、主に広角端において像面湾曲を改善するための条件である。条件式（１）の上限を超えるほど第５レンズ群Ｌ５の屈折力が強いと、広角端において像面湾曲の補正が困難になる。条件式（１）の下限を超えるほど第５レンズ群Ｌ５の屈折力が弱いと、第５レンズ群Ｌ５でフォーカスする際の移動量が大きくなり、全系が大型化してくる。又、至近距離物体での光学性能が低下してくる。
【００１８】
条件式（２）の上限を超えるほど第６レンズ群Ｌ６の屈折力が弱いと全系が大型化し、かつ至近距離物体での光学性能を良好に維持することが困難となる。条件式（２）の下限を超えるほど第６レンズ群Ｌ６の屈折力が強いと、広角端において像面湾曲の補正が困難になる。
【００１９】
条件式（３）は、第３レンズ群Ｌ３の屈折力に関し、主に、長いバックフォーカスを確保し、像面湾曲を改善するための条件である。レトロフォーカス型の屈折力配置は、正の屈折力のレンズ群の前方（物体側）に負の屈折力のレンズ群を配置し、バックフォーカスを焦点距離よりも長くすることができる光学配置である。このタイプにおいて、後方レンズ群（像側レンズ群）の正の屈折力を弱めると、前方の負の屈折力のレンズ群の屈折力を弱め、全系が大型化して、又長いバックフォーカスを確保することが困難となる。
【００２０】
これに対し、各実施例のズームレンズでは、第３レンズ群Ｌ３の負の屈折力を弱めることで、広角端において第２レンズ群Ｌ２から第６レンズ群Ｌ６までの合成の正の屈折力を強めている。これによって、長いバックフォーカスを確保しながら第５、第６レンズ群Ｌ５、Ｌ６の屈折力を弱め、広角端において像面湾曲を改善している。条件式（３）の上限を超えるほど第３レンズ群Ｌ３の屈折力が弱いと、球面収差がズーミングによって大きく変動し、これを補正することが困難になる。下限を超えるほど第３レンズ群Ｌ３の屈折力が強いと、第２レンズ群Ｌ２以降の合成の正の屈折力が弱くなり、広角端において、長いバックフォーカスを確保するのが困難になる。更に好ましくは条件式（１）乃至（３）の数値範囲を次の如く設定するのが良い。
【００２１】
１．６０２＜｜ｆ５／ｆｗ｜＜１．８００    ‥‥‥（１ａ）
３．６＜  ｆ６／ｆｗ  ＜４．５    ‥‥‥（２ａ）
２．０５＜｜ｆ３／ｆｗ｜＜４．００    ‥‥‥（３ａ）
各実施例では以上のようにレンズ構成を特定している。これにより一眼レフカメラに適用したときに必要な長さのバックフォーカスを維持し、全系のコンパクト化を図りながら、広角端において像面湾曲の変化を低減し、画面周辺も含めて良好な光学性能を得ている。各実施例において、更に好ましくは次の諸条件のうち１以上を満足するのが良い。広角端から望遠端へのズーミングにおける第２レンズ群Ｌ２と第３レンズ群Ｌ３の光軸方向の移動量を各々Ｍ２、Ｍ３とする。
【００２２】
但し、移動量の符号は像側へ移動するときを正、物体側へ移動するときを負とする。又、往復移動するときは光軸方向の最大移動量である。第３レンズ群Ｌ３の広角端と望遠端における横倍率を各々β３ｗ、β３ｔとする。このとき
０．４＜｜Ｍ２／Ｍ３｜＜１．０      ‥‥‥（４）
１．０＜｜β３ｔ／β３ｗ｜＜６．０  ‥‥‥（５）
なる条件式のうち１以上を満足するのが良い。
【００２３】
条件式（４）は、第２レンズ群Ｌ２と第３レンズ群Ｌ３の広角端から望遠端までのズーミングに伴う光軸方向の移動量に関し、主に高いズーム比を確保するための条件である。条件式（１）、（２）、（３）を満たすことで、広角端において像面湾曲の良好なる補正が容易になる。しかしながら、第５、第６レンズ群Ｌ５、Ｌ６の屈折力の絶対値が弱くなることで、後方のレンズ群が分担していた変倍比（ズーム比）の確保が困難になる。そこで各実施例では、第３レンズ群Ｌ３を第２レンズ群Ｌ２と同様に物体側へ移動させ、変倍を分担させることで高いズーム比の確保を容易にしている。条件式（４）の下限を超えるほど第３レンズ群Ｌ３の移動量が多いと、全系が大型化してくるので良くない。又、上限を超えるほど移動量が少ないと、高いズーム比の確保が困難になる。
【００２４】
条件式（５）は、第３レンズ群Ｌ３の望遠端における横倍率と、広角端におる横倍率の比に関し、主に第３レンズ群Ｌ３が変倍に担う変倍比の範囲を示している。条件式（５）は前述のように、広角端において像面湾曲の補正のために第５、第６レンズ群Ｌ５、Ｌ６の屈折力を弱めたことによる変倍分担の不足分を補うための条件である。条件式（５）の上限を超えるほど変倍比が大きくなると全系が大型化してくる。又、下限を超えるほど変倍比が小さいと、所定のズーム比を確保することが困難になる。各実施例において、更に好ましくは条件式（４）、（５）の数値範囲を次の如く設定することが好ましい。
【００２５】
０．４０＜｜Ｍ２／Ｍ３｜＜０．７０    ‥‥‥（４ａ）
１．５＜｜β３ｔ／β３ｗ｜＜５．５  ‥‥‥（５ａ）
以上のように、各実施例によれば、ズーム比（変倍比）約３倍、Ｆナンバー２．８程度の広角域を含んだズームレンズにおいて、必要な長さのバックフォーカスを維持し、全系のコンパクト化を図ることができる。更に、広角端において像面湾曲を低減し、画面周辺に至るまで良好な光学性能を得ることができる。
【００２６】
広角域を含む前述したネガティブリード型の６群ズームレンズにおいて、広角端における画面の周辺の像面湾曲を低減するためには、第５、第６レンズ群Ｌ５、Ｌ６の屈折力を弱くする必要がある。これによれば、周辺の像面湾曲の性能を示す高次の収差係数IV＾の低減が容易となる。しかし第６レンズ群Ｌ６の正の屈折力が弱まる事で、第４レンズ群Ｌ４から第６レンズ群Ｌ６の合成の正の屈折力が弱くなり、長いバックフォーカスの確保が困難になる。そこで第３レンズ群Ｌ３の負の屈折力を弱める事で第１レンズ群Ｌ１以外のレンズ群の合成の正の屈折力を強め、長いバックフォーカスを保ちながら画面周辺の像面湾曲を改善している。
【００２７】
図７（Ａ）、（Ｂ）に参考のため、前述した特許文献１の数値実施例１と、後述する本発明の数値実施例１におけるＭＴＦのディフォーカス特性図を示す。ここでＭＴＦとは、周知の如く物体のコントラストと、光学系を通して結像する像のコントラストの比で定義され、光学系の結像性能評価に用いられるものである。図７は空間周波数、３０本／ｍｍのコントラストチャートに対して、横軸に近軸像面からのディフォーカス量［ｍｍ］、縦軸にＭＴＦ値を示している。
【００２８】
図中のＭＴＦ曲線において、実線（曲線Ｓ）はサジタル像面、点線（曲線Ｍ）はメリディオナル像面のＭＴＦ曲線を示している。図中の縦点線は、像高０ｍｍにおけるＭＴＦピーク位置である。各像高のＭＴＦピーク位置との差が、画面中心からの像面湾曲を示す。この特性図から図７（Ａ）に示す特許文献１のズームレンズは画面周辺（像高２１．６ｍｍ）でのＭＴＦのピークが中心（像高０ｍｍ）でのピーク位置から大きくずれており、像面湾曲が大きい。これを低減するには、各レンズ群の屈折力を弱める必要があり、この結果、全系が大型化してくる。
【００２９】
これに対して、図７（Ｂ）に示す本発明の数値実施例１のＭＴＦディフォーカス特性図は、図７（Ａ）と比較して、像高２１．６ｍｍのＭＴＦピーク位置が明らかに像高０ｍｍのピークに近づいており、像面湾曲が低減していることが分かる。特許文献１の数値実施例１と、本発明の数値実施例１において、５次の収差係数IV＾を比較した表を表−１に示す。第６レンズ群Ｌ６の係数分担値が特に大きく減少し、第５レンズ群Ｌ５、第６レンズ群Ｌ６の合計の収差係数値も、全系の収差系数値も減少していることが分かる。
【００３０】
【表１】
2010243636.tif 000003
【００３１】
次に各レンズ群のレンズ構成について説明する。以下、各レンズ群のレンズ構成は物体側から像側の順に配置されているものとする。第１レンズ群Ｌ１は物体側の面が凸でメニスカス形状の負レンズＧ１１、両レンズ面が凹形状の負レンズＧ１２、物体側の面が凸形状の正レンズＧ１３から成っている。第２レンズ群Ｌ２は像側の面が凹形状の負レンズＧ２１と両レンズ面が凸形状の正レンズＧ２２とを接合した接合レンズ、両レンズ面が凸形状の正レンズＧ２３、物体側の面が凸形状の正レンズＧ２４より成っている。
【００３２】
第３レンズ群Ｌ３は像側の面が凹形状の負レンズＧ３１、両レンズ面が凹形状の負レンズＧ３２と両レンズ面が凸形状の正レンズＧ３３とを接合した接合レンズより成っている。第４レンズ群Ｌ４は像側の面が凹形状の負レンズＧ４１と両レンズ面が凸形状の正レンズＧ４２とを接合した接合レンズ、両レンズ面が凸形状の正レンズＧ４３より成っている。第５レンズ群Ｌ５は両レンズ面が凸形状の正レンズＧ５１と両レンズ面が凹形状の負レンズＧ５２とを接合した接合レンズより成っている。第６レンズ群Ｌ６は像側の面が凸形状の正レンズＧ６１と像側の面が凸形状の負レンズＧ６２とを接合した接合レンズより成っている。
【００３３】
実施例１は、第１レンズ群Ｌ１に３つの非球面を用いている。これにより広角端において画面周辺のサジタル像面湾曲の改善によって急激な補正不足となるメリディオナル像面を補正している。また、実施例１は、第３レンズ群Ｌ３と、第４レンズ群Ｌ４にそれぞれ１つの非球面を用いている。これにより、開口絞り近傍のレンズ群の屈折力が弱まったことにより生じる、球面収差のズームによる変動を補正している。実施例２は第１レンズ群Ｌ１に２つ、第６レンズ群Ｌ６に１つの非球面を用いている。
【００３４】
これにより広角端において画面周辺のサジタル像面湾曲の改善によって急激な補正不足となるメリディオナル像面を補正している。また、実施例２は、第３レンズ群Ｌ３、第４レンズ群Ｌ４にそれぞれ１つの非球面を用いている。これにより、開口絞り近傍のレンズ群の屈折力が弱まったことにより生じる、球面収差のズームによる変動を補正している。実施例３は第１レンズ群Ｌ１に２つ、第６レンズ群Ｌ６に１つの非球面を用いている。これにより広角端において画面周辺のサジタル像面湾曲の改善によって急激な補正不足となるメリディオナル像面を補正している。
【００３５】
また、実施例３は、第３レンズ群Ｌ３、第４レンズ群Ｌ４にそれぞれ１つの非球面を用いている。これにより、開口絞り近傍のレンズ群の屈折力が弱まったことにより生じる、球面収差のズームによる変動を補正している。以上のように各レンズ群のレンズ構成を特定することによって、各実施例は各ズーム位置において、いずれも良好に収差が補正されており、特に広角端において画面周辺の像面湾曲が良好に補正されている。
【００３６】
次に実施例１〜３に示したズームレンズを撮像装置に適用した実施例を図８を用いて説明する。図８は一眼レフカメラの要部概略図である。図８において、１０は実施例１〜３のズームレンズ１を有する撮影レンズである。ズームレンズ１は保持部材である鏡筒２に保持されている。２０はカメラ本体であり、撮影レンズ１０からの光束を上方に反射するクイックリターンミラー３、撮影レンズ１０の像形成位置に配置された焦点板４より構成されている。更に、焦点板４に形成された逆像を正立像に変換するペンタダハプリズム５、その正立像を観察するための接眼レンズ６などによって構成されている。
【００３７】
７は感光面であり、ＣＣＤセンサやＣＭＯＳセンサ等の像を受光する固体撮像素子（光電変換素子）や銀塩フィルムが配置される。撮影時にはクイックリターンミラー３が光路から退避して、感光面７上に撮影レンズ１０によって像が形成される。実施例１〜３にて説明した利益は、本実施例に開示したような撮像装置において効果的に享受される。
【００３８】
以下に実施例１〜３に対応する数値実施例１〜３を示す。各数値実施例においてｉは物
体側からの面の順番を示す。数値実施例においてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料の屈折率とアッベ数である。ＢＦはバックフォーカスである。非球面形状は光軸方向にＸ軸、光軸と垂直方向にＨ軸、光の進行方向を正とし、ｒを近軸曲率半径、各非球面係数をＡ４、Ａ６、Ａ８、Ａ１０、Ａ１２としたとき
【００３９】
【数１】
2010243636.tif 000004
【００４０】
で与えるものとする。各数値実施例においてｒ１は設計上用いたダミー面である。前述の各条件式と数値実施例の関係を表−２に示す。
【００４１】
［数値実施例１］
単位 mm                                        
面データ                                       
面番号         r          d      nd       νd    有効径
1              ∞         1.5                    68.2
2    *      1054.753      2.5    1.816    46.6   60.73
3           32.866         15                    48.68
4           -70.892       2.3    1.53172  48.8   48.72
5    *      74.087        0.15                   48.56
6           63.051         5     2.0033   28.3   48.79
7    *      623.901       (可変)                 48.58
8           174.415       1.9    1.80518  25.4   34.74
9           47.076        6.25   1.7725   49.6   35.76
10          -255.009      0.15                   36.28
11          80.627        3.85   1.804    46.6   37.25
12          -401.032      0.15                   37.21
13          49.168         5     1.6968   55.5   36.63
14          502.592       (可変)                 35.91
15   (Fno絞り) ∞         2.2                    27.94
16   *      -358.014      1.3    1.883    40.8   26.71
17          44.128         4                     25.73
18          -50.551       1.3    1.72342   38    25.73
19          28.975         6     1.80518  25.4   27.17
20          -53.427       0.7                    27.31
21   (絞り)    ∞         (可変)                 26.99
22          118.985       1.3    1.84666  23.9   26.84
23          18.882         8     1.497    81.5   25.86
24          -73.703       0.15                   26.25
25          37.771         4.5   1.6516   58.5   26.88
26   *      -91.087       (可変)                 26.71
27          174.15         4     1.84666  23.9   22.17
28          -25.737       1.2    1.834    37.2   22.08
29          28.532        (可変)                 21.57
30          687.638       8      1.56907  71.3   34.75
31          -28.077       2      1.7859   44.2   35.28
32          -44.496       (可変)                 37.25
像面        ∞                          
非球面データ                                          
第2面                                                 
K =  0.00E+00     A 4= 4.11024E-06   A 6=-2.80857E-09  A 8= 1.83365E-12
A10=-1.29881E-15   A12= 4.88579E-19          
第5面                                                 
K =  0.00E+00     A 4= 2.73456E-06   A 6=-1.58065E-10  A 8=-1.46110E-12
A10=-1.96817E-14   A12= 2.21216E-17          
第7面                                                 
K =  0.00E+00     A 4= 2.86653E-07   A 6=-1.22072E-09  A 8= 3.48964E-12
A10= 3.05532E-15   A12=-6.04525E-18         
第16面                                                
K =  0.00E+00     A 4=-2.43124E-06   A 6= 1.96574E-09  A 8=-6.62819E-12
A10=-6.36389E-14   A12= 3.28925E-16          
第26面                                                
K =  0.00E+00     A 4=-4.94471E-06   A 6=-6.52653E-09   A 8=-1.97101E-11
A10=-6.90092E-14   A12= 3.35312E-16          
各種データ            
ズーム比  2.69        
焦点距離      24.54   35.14   66.07  
Fナンバー      2.91    2.91    2.92  
画角           41.4   31.62   18.13  
像高          21.64   21.64   21.64  
レンズ全長   204.97  190.33  170.32  
BF            37.06   37.06   37.06  
d7            61.79   35.91    0.89  
d14            0.81    3.49   12.47  
d21           12.05    9.36    0.39  
d26            0.08    0.66    6.17  
d29            4.79   15.43   24.94  
d32           37.06   37.06   37.06  
入射瞳位置    33.29   32.26   37.03  
射出瞳位置   -48.39  -71.59  -87.56  
前側主点位置  50.78   56.03   68.07  
後側主点位置  12.52    1.92  -29.01                                            
【００４２】
［数値実施例２］
単位 mm                                        
面データ                                       
面番号         r        d      nd      νd    有効径
1             ∞       1.5                    68.06
2    *      163.137    2.5    1.816    46.6   57.87
3           30.508     15                     46.51
4           -63.163    2.3    1.53172  48.8   46.63
5    *      61.363     0.15                   46.11
6           63.233     5      2.0033   28.3   46.05
7           411.078    (可変)                 45.77
8           262.127    1.9    1.80518  25.4   34.27
9           52.162     6.25   1.7725   49.6   35.17
10          -194.456   0.15                   35.91
11          91.553     3.85   1.804    46.6   37.1
12          -355.808   0.15                   37.15
13          45.154     5     1.6968    55.5   37.06
14          512.094    (可変)                 36.55
15   (Fno絞り) ∞      2.2                    27.15
16   *      -331.149   1.3    1.883    40.8   26.02
17          41.005     4                      25.11
18          -62.009    1.3    1.72342  38     25.18
19          28.441     4.95   1.80518  25.4   26.49
20          -68.665    0.7                    26.55
21   (絞り)    ∞      (可変)                 26.5
22          94.726     1.3    1.84666  23.9   26.46
23          19.914     7      1.497    81.5   25.74
24          -84.722    0.15                   26.03
25          34.797     4.55   1.6516   58.5   26.75
26   *      -80.07    (可変)                  26.61
27          138.692    4      1.84666  23.9   22.06
28          -27.772    1.2    1.834    37.2   22.01
29          26.757    (可変)                  21.73
30          329.564    7      1.56907  71.3   34.76
31          -29.541    2      1.7859   44.2   35.03
32   *      -48.289   (可変)                  36.87
像面           ∞                          
各種データ                                     
ズーム比      2.73                        
焦点距離      24.52    35.4   66.95  
Fナンバー      2.91    2.91    2.91  
画角          41.43   31.43   17.91  
像高          21.64   21.64   21.64  
レンズ全長   199.42  186.05  170.46   
BF            37.38   37.38   37.38  
d7            54.48   30.64    1.04  
d14             1.5     4.8   16.12  
d21           15.37   12.07    0.75  
d26             0.5    1.28    6.06  
d29            4.79   14.49   23.72  
d32           37.38   37.38   37.38  
入射瞳位置    33.2    32.57   40.38  
射出瞳位置   -53.11  -71.92  -77.37   
前側主点位置  51.08   56.51   68.27  
後側主点位置  12.86    1.97  -29.57 
【００４３】
［数値実施例３］
単位 mm                                        
面データ                                       
面番号         r        d      nd       νd    有効径
1             ∞       1.5                     68.33
2    *      168.627    2.5    1.816     46.6   58.43
3           32.624     15                      47.61
4           -68.676    2.3    1.53172   48.8   47.32
5           53.123     1                       46.06
6           66.763     5      2.0033    28.3   46
7    *      417.696    (可変)                  45.71
8           677.599    1.9    1.80518   25.4   34.43
9           61.578     6.25   1.7725    49.6   35.88
10          -149.098   0.15                    36.75
11          84.098     3.85   1.804     46.6   38.27
12          -469.815   0.15                    38.29
13          45.257     5       1.6968   55.5   38.17
14          458.515    (可変)                  37.71
15   (Fno絞り) ∞      2.2                     27.99
16   *      -682.43    1.3    1.883     40.8   26.74
17          43.246     3.5                     25.77
18          -55.012    1.3    1.72342   38     25.77
19          31.324     5.5    1.80518   25.4   27.01
20          -63.339    0.7                     27.16
21   (絞り)    ∞      (可変)                  27
22          79.793     1.3    1.84666   23.9   26.87
23          18.872     8      1.497     81.5   25.83
24          -76.669    0.15                    26.18
25          34.277     4.55   1.6516    58.5   26.67
26   *      -92.125    (可変)                  26.48
27          177.021    3.1    1.84666   23.9   22.19
28          -25.726    1.2    1.834     37.2   22.17
29          26.829     (可変)                  21.81
30          2762.204   7      1.56907   71.3   35.19
31          -28.224    2      1.7859    44.2   35.43
32   *      -44.867    (可変)                  37.41
像面          ∞                          
非球面データ                                          
第2面                                                 
K =  0.00E+00      A 4= 2.48456E-06   A 6=-7.89777E-10  A 8=-2.16709E-13
A10= 2.52658E-16   A12=-1.65747E-19         
第7面                                                 
K =  0.00E+00      A 4= 2.81967E-07   A 6= 9.52168E-11  A 8=-1.95056E-12
A10= 3.01975E-16   A12= 4.09486E-19          
第16面                                                
K =  0.00E+00      A 4=-1.46280E-06   A 6=-2.20534E-09  A 8= 7.31635E-12
A10= 1.01560E-14   A12=-4.53385E-17         
第26面                                                
K =  0.00E+00      A 4=-3.30404E-06   A 6=-7.49914E-09  A 8=-2.30781E-11
A10= 7.55104E-14   A12=-1.50759E-16         
第32面                                                
K =  0.00E+00      A 4= 5.06097E-07   A 6=-1.22220E-08  A 8= 6.38375E-11
A10=-1.66969E-13   A12= 1.66289E-16          
各種データ                       
ズーム比      2.75          
焦点距離        24.5    35.43     67.5  
Fナンバー       2.91     2.91     2.92  
画角           41.44    31.41    17.77  
像高           21.64    21.64    21.64  
レンズ全長    202.62   190.29   174.08     
BF             38.22    38.22    38.22  
d7             56.17    32.69     1.57  
d14                1     4.49    16.22  
d21            15.87    12.38     0.65  
d26             0.12     0.31      4.3  
d29             4.84     15.8    26.73  
d32            38.22    38.22    38.22  
入射瞳位置     33.68    33.01    40.44  
射出瞳位置    -54.18   -75.69   -83.66   
前側主点位置   51.69    57.42    70.55 
後側主点位置   13.71     2.79   -29.28 
【００４４】
【表２】
2010243636.tif 000005
【符号の説明】
【００４５】
ＳＰ  開口絞り、ＳＰ２  Ｆナンバー絞り、Ｓ  サジタル像面、Ｍ  メリディオナル像面、Ｌ１  第１レンズ群、Ｌ２  第２レンズ群、Ｌ３  第３レンズ群、Ｌ４  第４レンズ群、Ｌ５  第５レンズ群、Ｌ６  第６レンズ群
【図１】
2010243636.tif 000006
【図３】
2010243636.tif 000007
【図７】
2010243636.tif 000008
【図２】
2010243636.tif 000009
【図４】
2010243636.tif 000010
【図５】
2010243636.tif 000011
【図６】
2010243636.tif 000012
【図８】
2010243636.tif 000013